(57)【特許請求の範囲】
【請求項１】
ディスクドライブとデータキャッシュと制御回路を有するディスクアレイと、前記ディスクアレイに接続されているホストと、前記ディスクアレイおよび前記ホストに電源を供給する複数のＵＰＳと、を備えた情報記憶装置であって、
前記ディスクアレイ用のＵＰＳ又は前記ディスクアレイは、前記ホスト側の電源のオンからオフへの状態変化を監視することにより、ホスト停止処理、ディスクアレイのキャッシュフラッシュ処理、ホスト用ＵＰＳ停止処理、ディスクアレイ停止処理、ディスクアレイ用ＵＰＳ停止処理、の順番に順序付けて処理を実行する
ことを特徴とする連動制御装置。
【請求項２】
請求項１に記載の連動制御装置において、
前記ディスクアレイは、前記ホスト側の電源のオンオフの状態変化を、ホストとディスクアレイを接続するＳＣＳＩ  Ｉ／Ｆを介して監視することを特徴とする連動制御装置。
【請求項３】
請求項１に記載の連動制御装置において、
前記ディスクアレイ用のＵＰＳは、前記ホスト側の電源のオンオフの状態変化を、ホスト用ＵＰＳのホストＡＣ監視ラインを介して監視することを特徴とする連動制御装置。
【請求項４】
ディスクドライブとデータキャッシュと制御回路を有するディスクアレイと、前記ディスクアレイに接続されているホストと、前記ディスクアレイおよび前記ホストに電源を供給する複数のＵＰＳと、を備えた情報記憶装置であって、
前記ＵＰＳと、前記ホストおよび前記ディスクアレイと、の間に、互いの現在の状態を監視し且つ互いを制御するための連動制御信号を持たせ、ホスト用ＵＰＳとディスクアレイ用ＵＰＳとで同一構成を有して汎用性を具備させ、
前記ディスクアレイ用のＵＰＳ又は前記ディスクアレイは、前記ホスト側の電源のオンからオフへの状態変化を監視することにより、停電発生のときにデータを保証する処理を実行する
ことを特徴とする連動制御装置。
【請求項５】
ディスクドライブとデータキャッシュと制御回路を有するディスクアレイと、前記ディスクアレイに接続されているホストと、前記ディスクアレイおよび前記ホストに電源を供給する単一のＵＰＳと、を備えた情報記憶装置であって、
前記単一のＵＰＳは、前記ホスト側の電源のオンからオフへの状態変化を、ホストとディスクアレイを接続するＳＣＳＩ  Ｉ／Ｆを介して監視することにより、ホスト停止処理、ディスクアレイのキャッシュフラッシュ処理、ディスクアレイ停止処理、ＵＰＳ停止処理、の順番に順序付けて処理を実行する
ことを特徴とする連動制御装置。
【請求項６】
ディスクドライブとデータキャッシュと制御回路を有するディスクアレイと、前記ディスクアレイに接続されているホストと、前記ディスクアレイおよび前記ホストに電源を供給する複数のＵＰＳと、を備えた情報記憶装置であって、
前記複数のＵＰＳは、同一の内部構成を有して各ポート毎にホスト用およびディスクアレイ用の設定を持ち前記設定によりホスト用ＵＰＳまたはディスクアレイ用ＵＰＳとして機能し、
前記ホスト用ＵＰＳと前記ホストとの間、および前記ディスクアレイ用ＵＰＳと前記ディスクアレイとの間に、互いの現在の状態を監視し且つ互いを制御するための連動制御信号を持たせ、
前記ディスクアレイ用ＵＰＳは、前記ホストへの電源のオンオフの状態変化をホスト用ＵＰＳのホストＡＣ監視ラインを介して監視し、
停電発生の場合に、ホスト用ＵＰＳは前記連動制御信号を使用して前記ホストにシャットダウン処理の起動をかけるとともに、ディスクアレイ用ＵＰＳは前記ホストＡＣ監視ラインによる電源オフを検知して前記連動制御信号を通して前記ディスクアレイに対してキャッシュフラッシュとライトスルーモードの起動をかけ、
さらに、前記ホスト用ＵＰＳは前記連動制御信号を通して前記ホストからホスト停止完了の報告を受けたときに自身の動作を停止させ、前記ディスクアレイ用ＵＰＳは前記連動制御信号を通して前記ディスクアレイから前記キャッシュフラッシュとライトスルーモード処理完了の報告を受けたときに自身の動作を停止させる
ことを特徴とする連動制御装置。
【発明の詳細な説明】
【０００１】
【発明の属する技術分野】
本発明は、ディスクドライブとキャッシュ（Ｃａｃｈｅ）を有するディスクアレイ、ホスト、前記ディスクアレイ用及びホスト用の無停止電源（Ｕｎｉｎｔｅｒｒｕｐｔｉｂｌｅ  Ｐｏｗｅｒ  Ｓｕｐｐｌｙ；ＵＰＳ）、を有する情報記憶装置の技術分野に関する。
【０００２】
【従来の技術】
ディスクドライブとキャッシュ（Ｃａｃｈｅ）を有するディスクアレイ、ホスト、前記ディスクアレイ用及びホスト用の無停止電源（ＵＰＳ）、を有するシステム構成においては、停電が発生した際、ユーザデータを保証するために以下のような手順が必要である。
【０００３】
停電発生
▲１▼ホスト停止処理及びディスクアレイのキャッシュフラッシュ（キャッシュ（揮発性メモリ）上にあるデータをディスクドライブ上に書き込むこと）、ライトスルーモード（キャッシュの使用を禁止すること）への移行、
▲２▼ホスト停止完了を認識、
▲３▼ホスト用ＵＰＳ停止処理、
▲４▼ディスクアレイ停止処理、
▲５▼ディスクアレイ停止完了を認識、
▲６▼ディスクアレイ用ＵＰＳ停止処理。
【０００４】
従来では、上記の▲１▼のホスト側、▲２▼、▲３▼に関してのみ、特開平８−２９７５３０号公報（「コンピュータシステム、そのサスペンド方法およびそのレジューム方法」）により、人手を介さずに自動で行うことができたが、▲１▼のディスクアレイ側及び▲４▼〜▲６▼に関しては、全て人手により行う必要があった。というのも、ホスト側では停電が起きた際、単に直ちに停止処理を行えばよいのに対して、ディスクアレイ側ではホスト側のデータを全て受け取った後に停止処理を行わなければいけないため、ホストの停止完了を待ってから停止しなければならず、その制御が困難であった。
【０００５】
【発明が解決しようとする課題】
本発明では、上記の▲４▼〜▲６▼の手順の各々について、ホスト、ディスクアレイ及びＵＰＳ間に連動制御方式を持たせることにより、全て人手を介さずに自動で行い、ユーザデータを保証することを目的とする。
【０００６】
また、ディスクアレイ−ＵＰＳ間、及びホスト−ＵＰＳ間を同じ制御方式で連動させることにより、同一構成のＵＰＳでディスクアレイ、ホスト両方を制御することを可能として、より汎用性を持たせた連動制御方式を発明することを目的とする。
【０００７】
【課題を解決するための手段】
前記課題を解決するために、本発明は主として次のような構成を採用する。
ディスクドライブとデータキャッシュと制御回路を有するディスクアレイと、前記ディスクアレイに接続されているホストと、前記ディスクアレイおよび前記ホストに電源を供給する複数のＵＰＳと、を備えた情報記憶装置であって、
前記ディスクアレイ用のＵＰＳ又は前記ディスクアレイは、前記ホスト側の電源のオンからオフへの状態変化を監視することにより、ホスト停止処理、ディスクアレイのキャッシュフラッシュ処理、ホスト用ＵＰＳ停止処理、ディスクアレイ停止処理、ディスクアレイ用ＵＰＳ停止処理、の順番に順序付けて処理を実行する構成とする。
【０００８】
また、ディスクドライブとデータキャッシュと制御回路を有するディスクアレイと、前記ディスクアレイに接続されているホストと、前記ディスクアレイおよび前記ホストに電源を供給する複数のＵＰＳと、を備えた情報記憶装置であって、
前記ＵＰＳと、前記ホストおよび前記ディスクアレイと、の間に、互いの現在の状態を監視し且つ互いを制御するための連動制御信号を持たせ、ホスト用ＵＰＳとディスクアレイＵＰＳとで同一構成を有して汎用性を具備させ、
前記ディスクアレイ用のＵＰＳ又は前記ディスクアレイは、前記ホスト側の電源のオンからオフへの状態変化を監視することにより、停電発生のときにデータを保証する処理を実行する構成とする。
【０００９】
また、ディスクドライブとデータキャッシュと制御回路を有するディスクアレイと、前記ディスクアレイに接続されているホストと、前記ディスクアレイおよび前記ホストに電源を供給する単一のＵＰＳと、を備えた情報記憶装置であって、
前記単一のＵＰＳは、前記ホスト側の電源のオンからオフへの状態変化を、ホストとディスクアレイを接続するＳＣＳＩ  Ｉ／Ｆを介して監視することにより、ホスト停止処理、ディスクアレイのキャッシュフラッシュ処理、ディスクアレイ停止処理、ＵＰＳ停止処理、の順番に順序付けて処理を実行する連動制御方式。
【００１０】
【発明の実施の形態】
本発明の実施形態について、図１〜図３に基づいて説明する。図１は本発明の実施形態に係る全体構成を示す図である。図２は、ＵＰＳとホスト，ディスクアレイとの間の連動制御信号の接続を示す図である。図３は、停電時におけるホスト側及びディスクアレイ側のＵＰＳの手順フローを示す図である。図４は本発明の他の実施形態に係る構成を示す図である。
【００１１】
ここで、１０１はＵＰＳ（ホスト用）、１０２はＵＰＳ（ディスクアレイ用）、１０３はホスト、１０４はディスクアレイ、１０５はＡＣ入力ライン、１０６はＡＣ給電ライン、１０７は連動制御信号、１０８はホストＡＣ監視ライン、１０９はＳＣＳＩ  Ｉ／Ｆ、２０１はＣＡＦＬＵＳＨ−Ｎ、２０２はＯＦＦＲＥＱ−Ｎ、２０３はＯＦＦＯＫ−Ｎ、２０４はＴＲＭＰＯＷＥＲ−Ｎ、２０５はＰｏｗｅｒ  ＳＷ＿ＯＦＦ−Ｎ、２０６はＣａｂｌｅ  ＯＫ１−Ｎ、２０７はＣａｂｌｅ  ＯＫ２−Ｎ、２０８はＶｃｃ、２０９はＧＮＤ、４０１はＵＰＳ（ホスト、ディスクアレイ用）、４０２はホスト、４０３はディスクアレイ、４０４はＡＣ入力ライン、４０５はＡＣ給電ライン、４０６は連動制御信号、４０７はホストＡＣ監視ライン、４０８はＳＣＳＩ  Ｉ／Ｆ、をそれぞれ表す。
【００１２】
本実施形態は、ホスト用ＵＰＳ１０１、ディスクアレイ用ＵＰＳ１０２、１台以上のホスト１０３と１台以上のディスクアレイ１０４から構成される。ホスト用及びディスクアレイ用ＵＰＳにはＡＣ入力ライン１０５があり、それぞれホストとディスクアレイにＡＣ給電ライン１０６を通して電源を供給している。また、ホスト用ＵＰＳ−ホスト間及びディスクアレイ用ＵＰＳ−ディスクアレイ間は、連動制御信号１０７を用いて制御する。ただし、ディスクアレイ用ＵＰＳに関してはＰｏｒｔ１、Ｐｏｒｔ２の２つのディスクアレイが接続されているため、制御１と制御２の２つを使用している。
【００１３】
また、ディスクアレイ用ＵＰＳまたはディスクアレイの少なくともいずれか一方が、ホストの電源状態を監視するために２つの手段を用意している。１つはホストＡＣ監視ライン１０８で、これも２つのホスト用ＵＰＳを区別するためにＡＣ１とＡＣ２のラインがある。他はホスト−ディスクアレイ間を接続しているＳＣＳＩ  Ｉ／Ｆ１０９である。図１では２つの手段を用意しているが、実際は１０８または１０９のいずれか一方の手段でもよい。
【００１４】
図１において、ホストが２台、ディスクアレイが２台、ＵＰＳが３台、それぞれ使用した例が示されていて、その内３台のＵＰＳは、その内部構成が全て同一であり、外部への接続態様についても同一構成であって、ホストに対しても、またディスクアレイに対しても接続可能となっていて、汎用性を具備する構成となっている。
【００１５】
ここにおいて、ＵＰＳとその接続ラインの機能について述べる。ＵＰＳは、各Ｐｏｒｔ毎に、ホスト用、ディスクアレイ用、またはディセーブルの設定を持つ。例えば、図１のＵＰＳ１は、ホスト設定を行ってポート用制御１にホスト１を接続している。ＡＣ入力ラインは、ポート数が１であって、ホスト用、ディスクアレイ用ＵＰＳのＡＣ入力ラインである。
【００１６】
また、ホストＡＣ監視ラインは、ポート数が２であって、ホストのＡＣラインの給電状態を監視し、ディスクアレイに計画停止（ディスクドライブ及びデータキャッシュ（Ｃａｃｈｅ）を持つディスクアレイを停止させる場合、キャッシュメモリ上のダーティデータをディスクに書き込むキャッシュのフラッシュが必須である。従って装置を停止させる場合、キャッシュのフラッシュを完了させ、その後に装置の電源切断を行うシーケンスが必要になる。この一連のシーケンスを自動的に実行する手続きを「計画停止」と称する。）を起動する契機を作る入力ラインで、本ラインの電圧を監視するのみとする。
【００１７】
ただし、それぞれのラインはディセーブル（Ｎｏｔ  Ｃｏｎｎｅｃｔｅｄ；Ｎ．Ｃ．）の機能を有する。Ｐｏｒｔの設定をホスト用にし、かつホストＡＣ監視ラインがディセーブル（Ｄｉｓａｂｌｅ）の場合のみ、ＡＣ入力が一定時間以上規定電圧以下の電圧を認識すると、無条件に連動制御信号によりシャットダウン（ｓｈｕｔｄｏｗｎ）処理（計画停止）の起動をかける。それ以外の場合は、Ｐｏｒｔが一定時間以上規定電圧以下の電圧を認識した場合に、そのポート（Ｐｏｒｔ）に接続されているディスクアレイのｓｈｕｔｄｏｗｎ処理（計画停止）の起動を行う。また、ＡＣ給電ラインは、ポート数が２であって、ＵＰＳのパワー出力ラインで、ホストＡＣ監視ライン及び連動制御信号で制御される。
【００１８】
さらに、連動制御信号は、ポート数が２であって、ホスト用ＵＰＳ及びディスクアレイ用ＵＰＳはそれぞれホスト、ディスクアレイにシャットダウン処理（計画停止）を起動する契機を与える機能と、ホスト、ディスクアレイがｓｈｕｔｄｏｗｎ処理（計画停止）が完了したことを認識する機能を持つ。また、ポート（Ｐｏｒｔ）設定がディスクアレイの場合はキャッシュ（Ｃａｃｈｅ）のフラッシュとライトスルーモードの契機を与える機能を持つ。この連動制御信号は、ＳＣＳＩ  Ｉ／ＦでのＴｅｒｍｉｎａｔｏｒ  Ｐｏｗｅｒ信号の状態を検出する機能を含む。この連動制御信号の詳細は図２についての説明で詳述する。
【００１９】
次に、停電発生からディスクアレイ用ＵＰＳ停止処理までの手順の自動化手法の概要を述べる。
【００２０】
停電発生
▲１▼ホスト停止処理及びディスクアレイのキャッシュフラッシュ、ライトスルーモードへの移行、
▲２▼ホスト停止完了を認識、
▲３▼ホスト用ＵＰＳ停止処理、
▲４▼ディスクアレイ停止処理、
▲５▼ディスクアレイ停止完了を認識、
▲６▼ディスクアレイ用ＵＰＳ停止処理。
【００２１】
「手順▲１▼」
停電が起きると、ホスト設定となっているＵＰＳ１及びＵＰＳ２のＰｏｒｔ１は、無条件に連動制御信号を使用してホスト１及びホスト２にシャットダウン（ｓｈｕｔｄｏｗｎ）処理の起動をかける。この連動制御の詳細に関しては図２の説明で後に詳述する。
【００２２】
一方、ディスクアレイ設定で、ホストＡＣ監視ラインがイネーブルとなっているＵＰＳ３のＰｏｒｔ１、Ｐｏｒｔ２に関しては、ホストＡＣ監視ラインのＡＣ１とＡＣ２に電源が供給されているため、キャッシュフラッシュとライトスルーモードの起動をかける。
【００２３】
「手順▲２▼」
ホスト１及びホスト２は、シャットダウン（ｓｈｕｔｄｏｗｎ）処理が完了次第、連動制御信号を使用してそれぞれＵＰＳ１及びＵＰＳ２にホスト停止完了の報告を行う。
【００２４】
「手順▲３▼」
ホストよりホスト停止完了の報告を受けた時点でＵＰＳ１及びＵＰＳ２はそれぞれＵＰＳを停止させる。
【００２５】
「手順▲４▼」
ＵＰＳ３は、ホストＡＣ監視ラインのＡＣ１とＡＣ２の両方の電源が一定時間以上規定電圧以下の電圧を認識した時点か、ホスト停止完了を認識可能な手段を備えたＳＣＳＩ  Ｉ／Ｆのターミネータパワー（Ｔｅｒｍｉｎａｔｏｒ  Ｐｏｗｅｒ）が切れた時点で（ホストＡＣ監視ラインかＳＣＳＩ  Ｉ／Ｆのターミネータパワーのいずれか一方を用いれば良いが、これらのどちらを使用するかは、ＡＣ監視ラインと後述のＴＲＭＰＯＥＲ−Ｎのイネーブルまたはディセーブルの設定如何による）、連動制御信号を使用してディスクアレイにシャットダウン（ｓｈｕｔｄｏｗｎ）処理（計画停止）の起動をかける。
【００２６】
「手順▲５▼」
ディスクアレイ１及びディスクアレイ２は、計画停止処理が完了次第、連動制御信号を使用してそれぞれＵＰＳ３にディスクアレイ停止完了の報告を行う。
【００２７】
「手順▲６▼」
両Ｐｏｒｔのディスクアレイよりディスクアレイ停止完了の報告を受けた時点でＵＰＳ３は自分自身を停止させる。
【００２８】
次に、ＵＰＳとホストまたはディスクアレイとの連動制御の詳細について記述する。図２にＵＰＳとホストまたはディスクアレイとの連動制御信号２０１〜２０９の接続図を示す。図２で、２０１〜２０３はホストまたはディスクアレイ−ＵＰＳ間の制御信号、２０４〜２０７は状態信号、２０８は電源、２０９はグランドである。
【００２９】
図２に示す各々の信号の機能は次に記述するとおりである。「ＣＡＦＬＵＳＨ−Ｎ」２０１は、ＵＰＳからの出力であり、ディスクアレイに対して、Ｃａｃｈｅのフラッシュと、ライトスルーモードへの状態遷移を要求する信号である。「ＯＦＦＲＥＱ−Ｎ」２０２は、ＵＰＳからの出力であり、ホストまたはディスクアレイに対して、電源の切断要求の信号である。また、「ＯＦＦＯＫ−Ｎ」２０３は、ＵＰＳへの入力であり、ホストまたはディスクアレイが停止処理を終了して、ＵＰＳに対して給電停止許可を示す。イネーブルとなっている全てのＰｏｒｔのＯＦＦＯＫ信号が入力された場合は、ＣＡＦＬＡＳＨ／ＯＦＦＲＥＱの状態によらずに、ＵＰＳは直ちに電源の切断を実行する。
【００３０】
また、「ＴＲＭ  ＰＯＷＥＲ−Ｎ」２０４は、ＵＰＳへの入力であり、ＳＣＳＩのＴｅｒｍｉｎａｔｏｒ  Ｐｏｗｅｒラインの全ての信号のＯＲ信号である。ただし、本信号はディセーブルの機能を有する。ＳＣＳＩのＴｅｒｍｉｎａｔｏｒ  Ｐｏｗｅｒラインによる連動制御モードで、本信号により  ＵＰＳのＡＣ給電ラインに電源給電を開始した場合、ＵＰＳは以降この信号線を監視してはならない。即ち、給電開始後に本信号がネゲートされた場合は、ＡＣ給電ラインは保持される。ＡＣ給電ラインの切断は、ＯＦＦＯＫのアサートでのみ行われる。
【００３１】
さらに、「Ｐｏｗｅｒ  ＳＷ＿ＯＦＦ−Ｎ」２０５は、ＵＰＳへの入力であり、ホストまたはディスクアレイのＭａｉｎスイッチがＯＮ状態であることを示す。「Ｃａｂｌｅ  ＯＫ１−Ｎ」２０６は、ＵＰＳへの入力であり、本信号ラインは、ホストまたはディスクアレイでＧＮＤに接続される。ＵＰＳは本信号ラインをＰｕｌｌ  Ｕｐする。ＵＰＳは本信号がＬｏｗであることから、ケーブルの正常接続を認識する。また、「Ｃａｂｌｅ  ＯＫ２−Ｎ」２０７は、ＵＰＳからの出力であり、本信号ラインは、ホストまたはディスクアレイでＧＮＤに接続される。ＵＰＳは本信号ラインをＰｕｌｌ  Ｕｐする。ＵＰＳは本信号がＬｏｗであることから、ケーブルの正常接続を認識する。
【００３２】
また、「Ｖｃｃ」２０８は、ＵＰＳからの出力であり、ホストまたはディスクアレイに常時給電する。「ＧＮＤ」２０９はＧＮＤ信号である。
【００３３】
図３に停電時のホスト側及びディスクアレイ側のＵＰＳ手順フローを示す。停電が発生すると、ＵＰＳの各Ｐｏｒｔはまず自分がホスト、ディスクアレイのどちらに接続されているかをＵＰＳのＰｏｒｔ設定により認識する（図１のＵＰＳ１，２，３がそれぞれホスト設定、ホスト設定、ディスクアレイ設定に設定されている）。
【００３４】
ホスト側ＵＰＳは即座にホストに「ＯＦＦＲＥＱ−Ｎ」２０２を発行し、ホストのシャットダウン（Ｓｈｕｔｄｏｗｎ）処理を開始させる（前述の停電発生後の手順▲１▼に当たる）。ホストよりシャットダウン（Ｓｈｕｔｄｏｗｎ）処理終了を示す「ＯＦＦＯＫ−Ｎ」２０３を受取る（手順▲２▼）と、ホスト側ＵＰＳを停止する（手順▲３▼）。
【００３５】
ディスクアレイ側ＵＰＳはホストＡＣ監視ライン、または「ＴＲＭ  ＰＯＷＥＲ−Ｎ」２０４のいずれかを監視することにより、ホスト側ＵＰＳまたはホスト自身が停止したことを認識する。認識した時点で、ディスクアレイ側のシャットダウン（Ｓｈｕｔｄｏｗｎ）処理（計画停止）を開始させる（手順▲４▼）。ホスト側ＵＰＳと同様に、全てのＰｏｒｔに接続されているディスクアレイより計画停止終了を示す「ＯＦＦＯＫ−Ｎ」２０３を受取る（手順▲５▼）と、ディスクアレイ側ＵＰＳを停止する（手順▲６▼）。
【００３６】
次に、本発明の他の実施形態を図４に基づいて説明する。図４に本発明の他の実施形態の全体構成を示す。本実施形態は、ホスト用及びディスクアレイ用ＵＰＳ４０１を１台でまかなっていることを特徴としている。ＵＰＳ４０１にはＡＣ入力ライン４０４があり、それぞれホストとディスクアレイにＡＣ給電ライン４０５を通して電源を供給している。また、ＵＰＳ−ホスト、ディスクアレイ間は連動制御信号４０６を用いて制御する。Ｐｏｒｔ１側はホスト、  Ｐｏｒｔ２側はディスクアレイの設定として、それぞれホスト４０２とディスクアレイ４０３が接続されている。
【００３７】
ホストＡＣ監視ライン４０７はディセーブルとして、ＳＣＳＩ  Ｉ／Ｆ４０８でホストの電源状態を監視している。連動制御に関しては基本的には前述の実施形態と同じだが、ホストがシャットダウン（Ｓｈｕｔｄｏｗｎ）処理を行った後に、本ＵＰＳでは同一ＵＰＳにホストだけでなくディスクアレイも接続されているので、ＵＰＳの停止処理（手順▲３▼）は行わずに、ディスクアレイの停止処理（手順▲４▼）に進むところのみ異なる。
【００３８】
以上説明したように、本発明の実施形態は、ホスト−ＵＰＳ間、ディスクアレイ−ＵＰＳ間に各々の状態を監視して制御するための信号を持たせた連動制御方式と、既存のＳＣＳＩ  Ｉ／Ｆの信号を用いてホストの電源状態をディスクアレイに認識させる機能またはホスト用ＵＰＳのホストＡＣラインをディスクアレイ用ＵＰＳに送ることによりホストの電源状態をディスクアレイ用ＵＰＳに認識させる機能と、を持たせることにより、これまで人手により行われていた停電後の前記▲１▼〜▲６▼全ての処理を自動で行わせるものである。
【００３９】
【発明の効果】
本発明によれば、ホスト、ディスクアレイ、無停止電源ＵＰＳ全てを連動で制御することにより、停電の際にホストのシャットダウン（Ｓｈｕｔｄｏｗｎ）処理を開始させることに始まり、ホストのシャットダウン後にディスクアレイのシャットダウン（計画停止）処理を行わせて、ＵＰＳの電源を落とすまでの一連の作業を全て人手を介さずに自動で行わせてユーザデータを保証するものである。
【００４０】
また、ディスクアレイ−ＵＰＳ間、及びホスト−ＵＰＳ間を同じ制御方式で連動させることにより、同一のＵＰＳでディスクアレイ、ホスト両方を制御することを可能として、より汎用性を持たせた連動制御方式を可能とするものである。
【図面の簡単な説明】
【図１】本発明の実施形態に係る全体構成を示す図である。
【図２】ＵＰＳとホスト，ディスクアレイとの間の連動制御信号の接続を示す図である。
【図３】停電時におけるホスト側及びディスクアレイ側のＵＰＳの手順フローを示す図である。
【図４】本発明の他の実施形態に係る構成を示す図である。
【符号の説明】
１０１  ＵＰＳ（ホスト用）
１０２  ＵＰＳ（ディスクアレイ用）
１０３  ホスト
１０４  ディスクアレイ
１０５  ＡＣ入力ライン
１０６  ＡＣ給電ライン
１０７  連動制御信号
１０８  ホストＡＣ監視ライン
１０９  ＳＣＳＩ  Ｉ／Ｆ
２０１  ＣＡＦＬＵＳＨ−Ｎ
２０２  ＯＦＦＲＥＱ−Ｎ
２０３  ＯＦＦＯＫ−Ｎ
２０４  ＴＲＭＰＯＷＥＲ−Ｎ
２０５  Ｐｏｗｅｒ  ＳＷ＿ＯＦＦ−Ｎ
２０６  Ｃａｂｌｅ  ＯＫ１−Ｎ
２０７  Ｃａｂｌｅ  ＯＫ２−Ｎ
２０８  Ｖｃｃ
２０９  ＧＮＤ
４０１  ＵＰＳ（ホスト、ディスクアレイ用）
４０２  ホスト
４０３  ディスクアレイ
４０４  ＡＣ入力ライン
４０５  ＡＣ給電ライン
４０６  連動制御信号
４０７  ホストＡＣ監視ライン
４０８    ＳＣＳＩ  Ｉ／Ｆ
【図１】
0004083864.tif 000002
【図２】
0004083864.tif 000003
【図３】
0004083864.tif 000004
【図４】
0004083864.tif 000005